(57)【要約】【課題】板紙Ｐを板紙搬送手段にて搬送しながら切削装置内に送り込む際に、板紙の端部を安定して切削装置内に送り込むことができるようにして、安定した厚さの端部切削を得ることができるようにすることにある。【解決手段】円筒ベル状筒体１の開口先端部２に沿ってリング状に刃部３が設けられ円筒回転軸５を中心に駆動回転するベル状ナイフ４と、該ベル状ナイフ４の開口先端部２内面に沿った曲率半径を有し且つ該内面に離間対向して前記円筒回転軸５と直交する方向の回転軸１２を中心に自由回転可能な紡錘状ロール１１と、ベル状ナイフ４の開口先端部２を挟んで前記紡錘状ロール１１と対向し且つ該ベル状ナイフ４の開口先端部２の外面に沿った曲率半径を有し且つ該外面に離間対向して前記回転軸１２と平行な回転軸２２を中心に駆動回転可能な鼓状ロール２１とを備えた。【選択図】図１
2005014484.tif 000002
【特許請求の範囲】
【請求項１】
円筒ベル状筒体１の開口先端部２に沿ってリング状に刃部３が設けられ円筒回転軸５を中心に駆動回転するベル状ナイフ４と、該ベル状ナイフ４の開口先端部２内面に沿った曲率半径を有し且つ該内面に離間対向して前記円筒回転軸５と直交する方向の回転軸１２を中心に駆動回転する紡錘状ロール１１と、ベル状ナイフ４の開口先端部２を挟んで前記紡錘状ロール１１と対向し且つ該ベル状ナイフ４の開口先端部２の外面に沿った曲率半径を有し且つ該外面に離間対向して前記回転軸１２と平行な回転軸２２を中心に駆動回転可能な鼓状ロール２１とを備え、駆動回転する前記鼓状ロール２１と紡錘状ロール１１との間に板紙Ｐの端部Ｐ１  を送り込み、駆動回転するベル状ナイフ４の刃部３により端部Ｐ１  を所定幅に切削して、端部Ｐ１  に沿って所定幅の切削部を形成することを特徴とする板紙端部切削装置。
【発明の詳細な説明】
【０００１】
【発明の属する技術分野】
本発明は、板紙を主体とする液体包装用の紙容器製函用ブランクシートの端部を折り返して、エッジプロテクト加工するためのブランクシート端部の切削加工をはじめとする各種用途の板紙の端部を切削するための板紙端部切削装置に関する。
【０００２】
【従来の技術】
液体包装用紙容器の製函に用いる板紙など、各種用途の板紙の端部を切削加工するための従来の板紙端部切削装置は、図４の正面図、図５のＬ−Ｌ側断面図に示すように、円筒ベル状筒体１の開口先端部２に沿ってリング状に刃部３が設けられ、円筒回転軸５を中心に駆動回転するベル状ナイフ４と、該ベル状ナイフ４の開口先端部２内面に沿った曲率半径を有し且つ該内面に離間対向して、前記円筒回転軸５と直交する方向のブラケット１３に軸支された回転軸１２を中心に駆動回転する紡錘状ロール１１と、ベル状ナイフ４の開口先端部２を挟んで前記紡錘状ロール１１と対向し且つ該ベル状ナイフ４の開口先端部２の外面に離間対向して昇降手段３２にて上昇・下降駆動可能な水平押板３１とを備えている。
【０００３】
上記切削装置は、図５に示すように、板紙Ｐを板紙搬送手段（板紙ニップ圧を備えた上下に重なる一対のエンドレスベルト又は押送爪を備えたエンドレスチェーン、図示せず）にて矢印方向に搬送し、前記紡錘状ロール１１と押板３１との間に該板紙Ｐの送り込み幅方向の一端部Ｐ１  （図５の図面手前側の端部）を送り込む。
【０００４】
そして、図６に示すように、押板３１を下降動作させて、板紙Ｐの浮き上がりを押さえながら継続して送り込み、送り込んだ板紙Ｐの一端部Ｐ１  （板紙Ｐの一端部Ｐ１  を含む角隅部）を、駆動回転するベル状ナイフ４の刃部３に押し当てながら、該刃部３にて、板紙Ｐの一端部Ｐ１  を刃部３の当接幅ｗに相当する幅に切削加工する。これにより、図示するように板紙Ｐには、その一端部Ｐ１  に沿って、切削して紙厚の薄くなった薄化端部４０と切削部４１が得られ、切削除去紙Ｐ２  はベル状ナイフ４の円筒内面に沿って下方に落下して排除される。
【０００５】
図７（ａ）は、切削加工した板紙Ｐの一端部Ｐ１  の側面図であり、紙厚ｔの板紙Ｐの切削後の一端部Ｐ１  は、例えば紙厚ｔの略半分の紙厚ｔ１  に切削される。そして、図７（ｂ）に示すように切削加工した板紙Ｐの一端部Ｐ１  は、その薄化端部４０を二つ折りして接着固定されることにより、板紙Ｐの一端部Ｐ１  の端面は外側に露呈されずにエッジプロテクトされる。
【０００６】
【発明が解決しようとする課題】
上記のような切削装置においては、図５に示すように板紙Ｐを板紙搬送手段にて矢印方向に搬送して、切削装置の紡錘状ロール１１と押板３１との間に送り込む際に、図６に示すように、固定位置にて昇降動作可能な押板３１を下降動作させて板紙Ｐの浮き上がりを押さえながら送り込む方式であり、送り込まれる板紙Ｐ上面と押板３１下面との境界面の滑性が悪いために、板紙Ｐが押板３１に引っ掛かったり、押板３１による押さえが不完全なために安定した厚さの切削が得られなかったり、場合によっては切削された端部にピンホールが発生したりする。
【０００７】
本発明は、上記不都合を解消することを課題とし、板紙を板紙搬送手段にて搬送しながら切削装置内に送り込む際に、板紙の端部を安定して切削装置内に送り込むことができるようにして、安定した厚さの端部切削を得ることができるようにすることにある。
【０００８】
【課題を解決するための手段】
本発明の請求項１に係る発明は、円筒ベル状筒体１の開口先端部２に沿ってリング状に刃部３が設けられ円筒回転軸５を中心に駆動回転するベル状ナイフ４と、該ベル状ナイフ４の開口先端部２内面に沿った曲率半径を有し且つ該内面に離間対向して前記円筒回転軸５と直交する方向の回転軸１２を中心に駆動回転する紡錘状ロール１１と、ベル状ナイフ４の開口先端部２を挟んで前記紡錘状ロール１１と対向し且つ該ベル状ナイフ４の開口先端部２の外面に沿った曲率半径を有し且つ該外面に離間対向して前記回転軸１２と平行な回転軸２２を中心に駆動回転可能な鼓状ロール２１とを備え、駆動回転する前記鼓状ロール２１と紡錘状ロール１１との間に板紙Ｐの端部Ｐ１  を送り込み、駆動回転するベル状ナイフ４の刃部３により端部Ｐ１  を所定幅に切削して、端部Ｐ１  に沿って所定幅の切削部を形成することを特徴とする板紙端部切削装置である。
【０００９】
【発明の実施の形態】
本発明の板紙端部切削装置の実施の形態を、図面に基づいて以下に詳細に説明する。
【００１０】
本発明の板紙端部切削装置は、図１の正面図、図２の側断面図に示すように、円筒ベル状筒体１の開口先端部２に沿ってリング状に刃部３が設けられ、円筒回転軸５を中心に駆動回転するベル状ナイフ４を備えている。
【００１１】
該ベル状ナイフ４の開口先端部２内面には、該内面に沿った曲率半径を有し、且つ該内面に離間対向して、前記円筒回転軸５と直交する方向のブラケット１３に軸支した回転軸１２を中心に駆動回転する紡錘状ロール１１を備えている。
【００１２】
また、前記ベル状ナイフ４の開口先端部２を挟んで、前記紡錘状ロール１１と対向し、該ベル状ナイフ４の開口先端部２の外面に沿った曲率半径を有し、且つ該外面に離間対向して、前記回転軸１２と平行な昇降動作可能なブラケット２３に軸支した回転軸２２を中心に駆動回転可能な鼓状ロール２１を備えている。
【００１３】
前記鼓状ロール２１は、回転軸２２にスプロケット２４（又はタイミングベルト用プーリ）を備え、図２に示すように該スプロケット２４と、タイミングベルト２５（Ｖベルト）と、電動モータにて駆動回転する駆動スプロケット２６とにより連結して駆動回転するようになっている。
【００１４】
本発明の切削装置は、図１、図２に示すように、ブラケット２３に軸支した駆動回転する鼓状ロール２１を下降動作させ、図２に示すように、板紙Ｐを板紙搬送手段（板紙挟持圧を備えた上下に重なる一対の対向するエンドレスベルト又は押送爪を備えたエンドレスチェーン、図示せず）にて矢印方向に搬送し、鼓状ロール２１と紡錘状ロール１１との間に、該板紙Ｐの送り込み幅方向の一端部Ｐ１  （図５の図面手前側の端部）を送り込む。
【００１５】
なお、被切削シートとしての板紙Ｐは、その板紙Ｐの用途に応じて、単層構成の板紙であってもよいし、複層の積層構成の板紙であってもよし、また、例えば液体包装容器の製函用ブランクシートの用途などの場合のように、その板紙Ｐの片面若しくは両面に合成樹脂層（フィルム層、コーティング層）が形成された板紙であってもよい。
【００１６】
そして、図１に示すように、駆動回転する鼓状ロール２１にて板紙Ｐの浮き上がりを押さえながら継続して送り込み、図２、及び図３（ａ）〜（ｃ）に示すように、送り込んだ板紙Ｐの一端部Ｐ１  （板紙Ｐの一端部Ｐ１  を含む角隅部）を、駆動回転するベル状ナイフ４の刃部３に押し当てながら、該刃部３にて、板紙Ｐの一端部Ｐ１  を刃部３の当接幅ｗに相当する幅に切削加工する。
【００１７】
これにより、図２、図３（ｃ）に示すように、板紙Ｐには、その一端部Ｐ１  に沿って、切削して紙厚の薄くなった薄化端部４０と切削部４１が得られ、切削紙Ｐ２  はベル状ナイフ４の円筒内面に沿って下方に落下して排除される。
【００１８】
このようにして切削した板紙Ｐは、図７（ａ）の切削加工した板紙Ｐの一端部Ｐ１  の側面図に示すように、紙厚ｔの板紙Ｐの切削後の一端部Ｐ１  が、例えば紙厚ｔの略半分の紙厚ｔ１  に切削される。
【００１９】
そして、図７（ｂ）に示すように、切削加工した板紙Ｐの一端部Ｐ１  は、その薄化端部４０を二つ折りして接着固定されることにより、板紙Ｐの一端部Ｐ１  の端面は外側に露呈されずにエッジプロテクトされる。
【００２０】
【発明の効果】
本発明の板紙端部切削装置は、装置内に送り込まれる板紙の押さえ動作を、板紙の送り込み速度と等しい速度にて駆動回転する鼓状ロールにて行うため、ベル状ナイフ４の刃部３（刃先）に向かって板紙端部の送り込み動作が円滑にできるようになって安定した切削加工ができ、切削厚さの不均一やピンホール、不規則な毛羽立ちや切削傷などの発生を防止でき、良好な品質の端部切削が可能となる効果がある。
【図面の簡単な説明】
【図１】本発明の板紙端部切削装置の正面図。
【図２】本発明の板紙端部切削装置の側断面図。
【図３】（ａ）〜（ｃ）は本発明の板紙端部切削装置による切削動作を説明する側断面図。
【図４】従来の板紙端部切削装置の正面図。
【図５】従来の板紙端部切削装置の側断面図。
【図６】従来の板紙端部切削装置による切削動作を説明する側断面図。
【図７】（ａ）〜（ｂ）は切削後の板紙端部の側面図。
【符号の説明】
Ｐ…板紙  Ｐ１  …端部  Ｐ２  …切削除去紙
１…円筒ベル状筒体  ２…開口先端部  ３…刃部  ４…ベル状ナイフ
５…円筒回転軸
１１…紡錘状ロール  １２…回転軸  １３…ブラケット
２１…鼓状ロール  ２２…駆動回転軸  ２３…ブラケット
３１…押板  ３２…ブラケット  ３３…昇降手段
４０…薄化端部  ４１…切削部
【図１】
2005014484.tif 000003
【図２】
2005014484.tif 000004
【図３】
2005014484.tif 000005
【図４】
2005014484.tif 000006
【図５】
2005014484.tif 000007
【図６】
2005014484.tif 000008
【図７】
2005014484.tif 000009